(57)【特許請求の範囲】
【請求項１】
容器本体と、この容器本体の前端部に手前側に弾圧付勢された状態で進退自在に設けられる操作片と、それ自体の前端部が上記操作片に係合され上記容器本体の後端部にヒンジ連結される蓋体とを備えた化粧料容器であって、上記操作片の左右両側面の上下両端部からそれらの間にスペースを設けた状態で突設される幅狭の４個の線状弾性体が設けられており、上記４個の線状弾性体は、それぞれ、左右方向に真っ直ぐに延びる根元部と、これら各根元部の先端部から後方・外側に向かって傾斜状に延びる傾斜部と、これら各傾斜部の後端部から左右方向に真っ直ぐに延びる後端部とからなり、これら各後端部の後面が上記容器本体の前端部に当接された状態で進退自在に固定され上記操作片の奥側への移動時に奥側に撓んで上記係合を解除し開蓋可能にするよう設定されていることを特徴とする化粧料容器。
【請求項２】
容器本体と、それ自体の前端部が上記容器本体の前端部に係合され上記容器本体の後端部にヒンジ連結される蓋体と、上記容器本体の前端部に手前側に弾圧付勢された状態で進退自在に設けられ奥側への移動時に上記蓋体を押し上げて上記係合を解除し開蓋する操作片とを備えた化粧料容器であって、上記操作片に、その左右両側面の上下両端部からそれらの間にスペースを設けた状態で突設される幅狭の４個の線状弾性体が設けられており、上記４個の線状弾性体は、それぞれ、左右方向に真っ直ぐに延びる根元部と、これら各根元部の先端部から後方・外側に向かって傾斜状に延びる傾斜部と、これら各傾斜部の後端部から左右方向に真っ直ぐに延びる後端部とからなり、これら各後端部の後面を容器本体の前面に当接させ、操作片自体を容器本体の手前側に弾圧付勢するよう設定されていることを特徴とする化粧料容器。
【請求項３】
上記操作片の左右両側面から突設される上下一対の線状弾性体の先端同士が線状連結体で連結され、この線状連結体が上記両先端とともに上記容器本体の前端部に当接している請求項１または２記載の化粧料容器。
【発明の詳細な説明】
【技術分野】
【０００１】
本発明は、コンパクト等の化粧料容器に関するものである。
【背景技術】
【０００２】
従来から、コンパクト等の化粧料容器には、容器本体と、それ自体の後端部が上記容器本体の後端部に回動自在に連結される蓋体と、上記容器本体の前端部に進退自在に固定されるフックピースとを備え、開蓋時にフックピースを前側に押圧し、この押圧により、容器本体の前端部と蓋体の前端部との係合を解除して開蓋するようにしたものが多く出回っている。
【０００３】
このような化粧料容器として、例えば、図１３に示すようなコンパクト容器が提案されている。このコンパクト容器は、先端部に凹所３１ａが形成された本体３１と、この本体３１に装着される中枠３２と、上記本体３１の後端部に回動自在に蝶着される蓋体３３と、上記凹所３１ａに前後移動可能に装着される押し釦３４とを備えている。この押し釦３４は、図１４に示すように、面板３５と、この面板３５の前方に垂下する前壁３６と、上記面板３５の両側方に垂下する両側壁３７とを有し、上記面板３５の裏面に、係合穴３９を構成する枠部３８が形成されている。また、上記枠部３８の両側壁３８ａの外側下部から幅広のバネ板部４０が突設されている。そして、閉蓋時には、押し釦３４の両バネ板部４０の先端部が本体３１に弾接した状態で、蓋体３３の係合片３３ａと、上記係合穴３９に形成された外向きフック３９ａとが着脱自在に係合している（図１３参照）。一方、開蓋時に押し釦３４の前壁３６を両バネ板部４０のバネ圧に抗して押圧すると、両バネ板部４０が撓んで上記係合が外れるようにしている（例えば、特許文献１参照）。
【特許文献１】特開２００２−２４８０１４号公報
【発明の開示】
【発明が解決しようとする課題】
【０００４】
しかしながら、上記の化粧料容器では、押し釦３４の両バネ板部４０が幅広に形成されているため、押し釦３４の前壁３６の中央部を押圧しても、この押圧力が両バネ板部４０に均等に伝わりにくく、安定して押圧することができない。しかも、押し釦３４の両バネ板部４０が枠部３８の両側壁３８ａの外側下部から突設されているため、押し釦３４の前壁３６の中央部を押圧しても、この押圧力の半分程度は、押し釦３４の前壁３６の（両バネ板部４０で支受されていない）上部に作用することから、押し釦３４の前壁３６の全体をスムーズに押圧することができない。しかも、押し釦３４を２本のバネ板部４０で支受しているため、上記押圧力を２本のバネ板部４０に受け止めなければならず、両バネ板部４０に大きな押圧力が作用して早期に破損等しやすい。
【０００５】
本発明は、このような事情に鑑みなされたもので、操作片を安定してスムーズに押圧することができ、しかも、長期にわたって破損等することのない化粧料容器の提供をその目的とする。
【課題を解決するための手段】
【０００６】
上記の目的を達成するため、本発明は、容器本体と、この容器本体の前端部に手前側に弾圧付勢された状態で進退自在に設けられる操作片と、それ自体の前端部が上記操作片に係合され上記容器本体の後端部にヒンジ連結される蓋体とを備えた化粧料容器であって、上記操作片の左右両側面の上下両端部からそれらの間にスペースを設けた状態で突設される幅狭の４個の線状弾性体が設けられており、上記４個の線状弾性体は、それぞれ、左右方向に真っ直ぐに延びる根元部と、これら各根元部の先端部から後方・外側に向かって傾斜状に延びる傾斜部と、これら各傾斜部の後端部から左右方向に真っ直ぐに延びる後端部とからなり、これら各後端部の後面が上記容器本体の前端部に当接された状態で進退自在に固定され上記操作片の奥側への移動時に奥側に撓んで上記係合を解除し開蓋可能にするよう設定されている化粧料容器を第１の要旨とし、容器本体と、それ自体の前端部が上記容器本体の前端部に係合され上記容器本体の後端部にヒンジ連結される蓋体と、上記容器本体の前端部に手前側に弾圧付勢された状態で進退自在に設けられ奥側への移動時に上記蓋体を押し上げて上記係合を解除し開蓋する操作片とを備えた化粧料容器であって、上記操作片に、その左右両側面の上下両端部からそれらの間にスペースを設けた状態で突設される幅狭の４個の線状弾性体が設けられており、上記４個の線状弾性体は、それぞれ、左右方向に真っ直ぐに延びる根元部と、これら各根元部の先端部から後方・外側に向かって傾斜状に延びる傾斜部と、これら各傾斜部の後端部から左右方向に真っ直ぐに延びる後端部とからなり、これら各後端部の後面を容器本体の前面に当接させ、操作片自体を容器本体の手前側に弾圧付勢するよう設定されている化粧料容器を第２の要旨とする。
【発明の効果】
【０００７】
すなわち、本発明の第１の化粧料容器では、操作片の左右両側面の上下両端部からそれぞれ幅狭の４個の線状弾性体が突設されているため、操作片の中央部を押圧すると、この押圧力が幅狭の４個の線状弾性体に均等に伝わり、安定して操作片を押圧することができる。しかも、操作片の左右両側面の上下両端部にはそれらの間にスペースを設けた状態で突設される幅狭の４個の線状弾性体が設けられており、上記４個の線状弾性体は、それぞれ、左右方向に真っ直ぐに延びる根元部と、これら各根元部の先端部から後方・外側に向かって傾斜状に延びる傾斜部と、これら各傾斜部の後端部から左右方向に真っ直ぐに延びる後端部とからなっているため、操作片の中央部を押圧すると、この押圧力が操作片の下部の左右両側および上部の左右両側に作用し、上記押圧力が各線状弾性体に安定して伝わりやすく、スムーズに操作片を押圧することができる。しかも、操作片の左右両側面の上下両端部をそれぞれ４個の線状弾性体で支受しているため、操作片を押圧した際に、各線状弾性体に作用する押圧力が小さくなり、長期にわたって操作片が破損等しにくくなり、耐久性が向上する。一方、本発明の第２の化粧料容器においても、本発明の第１の化粧料容器と同様の作用・効果を奏する。
【０００８】
また、本発明の第１および第２の化粧料容器において、上記操作片の左右両側面から突設される上下一対の線状弾性体の先端同士が線状連結体で連結され、この線状連結体が上記両先端とともに上記容器本体の前端部に当接している場合には、操作片を押圧した際に、この押圧力を左右の線状連結体でも支受することができ、操作片の耐久性がさらに向上する。
【発明を実施するための最良の形態】
【０００９】
つぎに、本発明を実施するための最良の形態について説明する。ただし、本発明は、この実施の形態に限られるものではない。
【００１０】
図１は本発明の第１の化粧料容器の一実施の形態の要部を示している。図において、１は内部に中枠２が装着されこの中枠２内に化粧皿３が収容された容器本体で、４はそれ自体の後端部が上記容器本体部１の後端部に連結ピン（図示せず）を介して回動自在に連結された蓋体で、５は上記容器本体１の前端部に形成された凹部１ａに進退自在に固定されたフックピース（操作片）で、６は上記蓋体２の裏面に接着，固定された鏡である。図において、３ａは上記化粧皿３に充填された化粧料である。
【００１１】
上記フックピース５は、図２〜図６に示すように、後面が開口する略長方形状箱形の本体部１１（前板部１２と、この前板部１２の上下両端部から後方に延びる上板部１３，下板部１４と、上記前板部１２の左右両端部から後方に延びる左板部１５，右板部１６とからなっている）を備えており、その左右両板部１５，１６の後端縁の上下両端部からそれぞれ、幅狭に（左右方向の長さが５〜７ｍｍ程度に）形成された４本のばね材（線状弾性体）１７ａ，１７ｂが突設されている。
【００１２】
これら各ばね材１７ａ，１７ｂはそれぞれ、上記左右両板部１５，１６の後端縁の上下両端部から左右方向に真っ直ぐに延びる根元部１８と、これら各根元部１８の先端部から後方・外側に向かって傾斜状に延びる傾斜部１９と、これら各傾斜部１９の後端部から左右方向に真っ直ぐに延びる後端部２０とからなっており、これら各後端部２０の後面が、上記容器本体１の支受板２４の前面に当接している（図１および図７参照）。また、上記左板部１５から突設された上下一対のばね材１７ａ，１７ｂの後端部２０同士、および上記右板部１６から突設された上下一対のばね材１７ａ，１７ｂの後端部２０同士がそれぞれ連結材（線状連結体）２１で連結されており、これら両連結材２１の後面も、上記支受板２４の前面に当接している（図１参照）。このようなばね材１７ａ，１７ｂは、上側のばね材１７ａの厚みが下側のばね材１７ｂよりやや厚く形成されている。また、各ばね材１７ａ，１７ｂの上下方向の厚みは１〜２ｍｍ程度に設定され、前後方向の厚みは０．８〜１．５ｍｍ程度に設定されている。
【００１３】
また、上記上板部１３の上面から係合片２２が、上記容器本体１の上面から突出する状態で、突設されており、この係合片２２の前面上部に、上記蓋体４の前端部から垂下する係合爪４ａ（図１参照）に着脱自在に係合する係合凸部２２ａが突設されている。この係合は、閉蓋状態にある蓋体４が上方に回動するのを阻止するものであるが、上記係合状態において、上記係合片２２，係合凸部２２ａは前後方向に移動自在であり、上記フックピース５を前進させると、これに伴い係合片２２，係合凸部２２ａが前進して上記係合が外れ、上記蓋体４が開蓋可能な状態になる。
【００１４】
また、上記左右両板部１５，１６の外面には、その後端から前方に延びるようにして、左右一対の溝１５ａ，１６ａが形成されており、上記容器本体１の凹部１ａの左右両側面に相対向状に突設された係合凸部１ｂに前後方向にスライド自在に係合している（図７および図８参照）。
【００１５】
上記容器本体１には、図９に示すように、その上面に凹部２３が形成されており、その前側壁に、上記フックピース５を進退自在を固定する凹部１ａが切欠き形成されているとともに、上記凹部２３の底壁から、上記凹部１ａに相対向するようにして、上記凹部１ａの横幅より長い支受板２４が立設されている。なお、図９では、上記凹部１ａの左右一対の係合凸部１ｂは、図示せず。
【００１６】
また、上記容器本体１は、その後側壁の中央部〔この中央部は、上記容器本体１と蓋体４との回動連結部（すなわち、連結ピン）より前側に形成されている〕が切欠き形成されており、この切欠き部に、ゴム等からなる弾性部材２５が固定されている。この弾性部材２５は、閉蓋状態では、その上面が上記蓋体４の後端部中央の凸部（図示せず）に、上記弾性部材２５の弾圧力に抗して押圧状に当接しており、これにより、上記蓋体４の係合爪４ａとフックピース５の係合凸部２２ａとの係合が外れて上記蓋体４が開蓋可能な状態になると、上記弾性部材２５の弾圧付勢力で上記蓋体４の凸部が押し上げられて蓋体４が後方に回動する。
【００１７】
上記構成において、開蓋する場合には、フックピース５の前板部１２を、そのばね材１７ａ，１７ｂの弾圧付勢力に抗して前側に押すことを行う（図１０および図１１参照）。これにより、係合片２２が前進して上記係合が外れ、蓋体４が開蓋可能な状態になり、これに伴い弾性部材２５の弾圧付勢力で蓋体４が後方に回動して少し開蓋する。そののち、手指で蓋体４を後方に大きく回動させると、大きく開蓋する。
【００１８】
上記のように、この実施の形態では、フックピース５の左右両板部１５，１６の後端縁の上下両端部からそれぞれ、幅狭に形成された４本のばね材１７ａ，１７ｂが突設されているため、フックピース５の前板部１２を押圧すると、この押圧力が上記各ばね材１７ａ，１７ｂに均等に伝わりやすく、フックピース５を安定してスムーズに押圧することができる。しかも、フックピース５の左右両側面の上下両端部をそれぞれ４本のばね材１７ａ，１７ｂで支受しているため、フックピース５を押圧した際に、各ばね材１７ａ，１７ｂに作用する押圧力が小さくなり、長期にわたって操作片が破損等しにくくなり、耐久性が向上する。さらに、上記各ばね材１７ａ，１７ｂの後端部２０の後面だけでなく、両連結材２１の後面をも上記支受板２４の前面に当接させているため、フックピース５を押圧した際に、この押圧力を上記後端部２０，両連結材２１で支受することができ、さらに耐久性が向上する。
【００１９】
図１２は本発明の第２の化粧料容器の一実施の形態の要部を示している。この実施の形態では、上記容器本体１の前壁２６に形成した凹部２６ａの奥面に係合凸部２７が突設されており、この係合凸部２７に、上記蓋体４の前端部から突設された係合爪４ｂが着脱自在に係合している。また、上記容器本体１に中枠２を装着していない。一方、上記フックピース５の上板部１３に、上記係合爪４ｂが昇降可能な窓１３ａが穿設されており、この窓１３ａの上面開口部の前側面１３ｂが、上記係合爪４ｂの（傾斜状の）下面に当接している。そして、上記フックピース５を前進させることで、上記窓１３ａの上面開口部の前側面１３ｂで係合爪４ｂの下面を押し上げ、上記係合を外すようにしている。それ以外の部分は上記実施の形態と同様であり、同様の部分には同じ符号を付している。この実施の形態でも、上記実施の形態と同様の作用・効果を奏する。
【００２０】
なお、図１２に示す実施の形態では、上記蓋体４の係合爪４ｂの下面を傾斜面に形成しているが、これに限定するものではなく、上記フックピース５に、上記蓋体４の係合爪４ｂの下面に当接する傾斜面を形成し、上記フックピース５を前進させることで、このフックピース５に設けた傾斜面で係合爪４ｂを押し上げ、上記係合凸部２７と係合爪４ｂとの係合を外すようにしてもよい。
【００２１】
なお、図１〜図１１に示す実施の形態では、上記フックピース５を容器本体１に設けた支受板２４で支受しているが、容器本体１に取り付けた中枠２で支受してもよい。
【図面の簡単な説明】
【００２２】
【図１】本発明の第１の化粧料容器の一実施の形態の要部を示す断面図である。
【図２】フックピースの断面図である。
【図３】上記フックピースの平面図である。
【図４】上記フックピースの正面図である。
【図５】上記フックピースの背面図である。
【図６】上記フックピースの底面図である。
【図７】上記フックピースの取付状態を示す平面図である。
【図８】上記フックピースの取付状態を示す正面図である。
【図９】容器本体の平面図である。
【図１０】上記フックピースの作用を示す断面図である。
【図１１】上記フックピースの作用を示す平面図である。
【図１２】本発明の第２の化粧料容器の一実施の形態の要部を示す断面図である。
【図１３】従来例を示す要部の断面図である。
【図１４】フックピースの斜視図である。
【符号の説明】
【００２３】
１  容器本体
４  蓋体
５  フックピース
１７ａ，１７ｂ  はね材
【図１】
0005179800.tif 000002
【図２】
0005179800.tif 000003
【図３】
0005179800.tif 000004
【図４】
0005179800.tif 000005
【図５】
0005179800.tif 000006
【図６】
0005179800.tif 000007
【図７】
0005179800.tif 000008
【図８】
0005179800.tif 000009
【図９】
0005179800.tif 000010
【図１０】
0005179800.tif 000011
【図１１】
0005179800.tif 000012
【図１２】
0005179800.tif 000013
【図１３】
0005179800.tif 000014
【図１４】
0005179800.tif 000015